(57)【特許請求の範囲】
【請求項１】
ズーム式のレンズ鏡筒を備えたカメラ本体に外挿された状態で装着されるフィルタアダプタであって、
前記カメラ本体に着脱可能に装着される装着部を有する固定筒と、
前記固定筒に対して軸方向に移動可能に保持され、先端部に径方向内方に延びる鏡筒押圧部を有すると共に、前記鏡筒押圧部より被写体側の端部に光学フィルタが着脱可能に取り付けられる取付部を有する移動筒と、
前記固定筒と前記移動筒との間に配置され、前記移動筒を前記固定筒の側に付勢する付勢部材と、を備え、
前記固定筒が前記カメラ本体に装着され、前記レンズ鏡筒が被写体側に繰り出される際に、前記鏡筒押圧部が前記付勢部材の付勢力によって前記レンズ鏡筒の先端部を押圧することで、前記移動筒が前記レンズ鏡筒に連動して光軸方向に移動することを特徴とするフィルタアダプタ。
【請求項２】
前記移動筒の前記鏡筒押圧部は、前記レンズ鏡筒がワイド位置に繰り出されたとき、前記レンズ鏡筒の先端部が当接しない位置で前記固定筒に当接することを特徴とする請求項１に記載のフィルタアダプタ。
【発明の詳細な説明】
【技術分野】
【０００１】
本発明は、ズーム式のレンズ鏡筒に外挿された状態でデジタルカメラ等のカメラ本体に対して着脱可能に装着され、被写体側の端部に光学フィルタが着脱可能に取り付けられるフィルタアダプタに関する。
【背景技術】
【０００２】
一眼レフ用のカメラでは、ズーム式のレンズ鏡筒の先端部内周部に雌ねじ部を形成し、該雌ねじ部に光学フィルタを螺合により着脱可能に取り付けるものがある。
【０００３】
また、ズーム式のレンズ鏡筒に外挿された状態でカメラ本体に対して着脱可能に装着されるアダプタリングを備え、該アダプタリングの先端部に光学フィルタを着脱可能に取り付ける技術が提案されている（特許文献１）。
【０００４】
このアダプタリングは、保護筒の内部に内面反射防止用のマスクが光軸方向に移動可能に保持され、また、マスクは、コイルばねによりレンズ鏡筒の先端部に当接する方向（カメラ本体側）に付勢されている。そして、レンズ鏡筒が撮影位置まで繰り出すと、レンズ鏡筒の先端部がマスクに当接し、この状態でレンズ鏡筒がコイルばねの付勢力に抗して被写体側に向けて光軸方向に移動する。
【先行技術文献】
【特許文献】
【０００５】
【特許文献１】特開２００７−２１２９７１号公報
【発明の概要】
【発明が解決しようとする課題】
【０００６】
しかし、一眼レフ用カメラのズーム式レンズ鏡筒の先端部内周部に形成した雌ねじ部に光学フィルタを螺合により取り付ける場合、撮影光路を遮断しない最適なフィルタ径を設定すると、先端部だけが大径のレンズ鏡筒となり、レンズ鏡筒自体が大型化する。
【０００７】
一方、上記特許文献１では、レンズ鏡筒に外挿されるアダプタリングの先端部に光学フィルタを取り付けるため、レンズ鏡筒自体の大型化は回避することができる。しかし、上記特許文献１では、最も繰り出した状態（テレ状態）のレンズ鏡筒の全域に対して保護筒が外挿されるため、アダプタリングをカメラ本体に装着した際の光軸方向の長さが長くなる。そして、この光軸方向の長さは、レンズ鏡筒が沈胴した際にも変わらないため、カメラの携帯性に問題がある。
【０００８】
そこで、本発明は、レンズ鏡筒自体の大型化を招くことなく最適なフィルタ径の光学フィルタを取り付けることができ、また、カメラ本体に装着した状態でのレンズ鏡筒の沈胴時の光軸方向長さを短くすることができるフィルタアダプタを提供することを目的とする。
【課題を解決するための手段】
【０００９】
上記目的を達成するために、本発明のフィルタアダプタは、ズーム式のレンズ鏡筒を備えたカメラ本体に外挿された状態で装着されるフィルタアダプタであって、前記カメラ本体に着脱可能に装着される装着部を有する固定筒と、前記固定筒に対して軸方向に移動可能に保持され、先端部に径方向内方に延びる鏡筒押圧部を有すると共に、前記鏡筒押圧部より被写体側の端部に光学フィルタが着脱可能に取り付けられる取付部を有する移動筒と、前記固定筒と前記移動筒との間に配置され、前記移動筒を前記固定筒の側に付勢する付勢部材と、を備え、前記固定筒が前記カメラ本体に装着され、前記レンズ鏡筒が被写体側に繰り出される際に、前記鏡筒押圧部が前記付勢部材の付勢力によって前記レンズ鏡筒の先端部を押圧することで、前記移動筒が前記レンズ鏡筒に連動して光軸方向に移動することを特徴とする。
【発明の効果】
【００１０】
本発明によれば、レンズ鏡筒自体の大型化を招くことなく、最適なフィルタ径の光学フィルタを取り付けることができる。また、レンズ鏡筒の沈胴時には、カメラ本体に装着したフィルタアダプタの光軸方向の長さを短くすることができるので、携帯性に優れたものとすることができる。
【図面の簡単な説明】
【００１１】
【図１】本発明の実施形態の一例であるフィルタアダプタをデジタルカメラのカメラ本体に装着した状態を示す斜視図である。
【図２】図１の要部断面図である。
【図３】フィルタアダプタの軸方向に沿う断面図である。
【図４】図３に示すフィルタアダプタの分解斜視図である。
【図５】図４の矢印Ａ方向から見たフィルタアダプタの分解斜視図である。
【図６】移動筒の斜視図である。
【図７】ベース筒の斜視図である。
【図８】レンズ鏡筒がテレ位置に達したときのフィルタアダプタの状態を示す斜視図である。
【発明を実施するための形態】
【００１２】
以下、本発明の実施形態の一例を図面を参照して説明する。
【００１３】
図１は本発明の実施形態の一例であるフィルタアダプタをデジタルカメラのカメラ本体に装着した状態を示す斜視図、図２は図１の要部断面図、図３はフィルタアダプタの軸方向に沿う断面図である。図４は図３に示すフィルタアダプタの分解斜視図、図５は図４の矢印Ａ方向から見たフィルタアダプタの分解斜視図、図６は移動筒の斜視図、図７はベース筒の斜視図である。
【００１４】
図１及び図２に示すように、本実施形態のフィルタアダプタ１０は、デジタルカメラのズーム式のレンズ鏡筒１２に外挿された状態でカメラ本体１１にバヨネット部２ａ（図３参照）を介して着脱可能に装着される。ここで、バヨネット部２ａは、本発明の装着部の一例に相当する。レンズ鏡筒１２は、カメラ本体１１の電源スイッチ１１ｂをオン操作することで、沈胴位置からワイド位置（図２参照）に繰り出し、カメラ本体１１のズームレバー１１ｃを操作することで、テレ位置側に向けてズーム動作を行う。
【００１５】
フィルタアダプタ１０は、図２及び図３に示すように、ベース筒４と、ベース筒４の外周側に配置される移動筒３と、移動筒３の外周側に配置される外筒２とを備える。外筒２の基端側（カメラ本体１１側）内周部には、フィルタアダプタ１０をカメラ本体１１に着脱可能に装着するためのバヨネット部２ａが周方向に略等間隔で複数箇所設けられている。なお、カメラ本体１１の着脱釦１１ａを操作することで、フィルタアダプタ１０をカメラ本体１１から取り外すことが可能となる。
【００１６】
外筒２の内周部のバヨネット部２ａより若干先端側（被写体側）位置には、凹部２ｂが形成されており、該凹部２ｂには、ベース筒４の基端側外周部に径方向外方に突設された凸部４ａが嵌め込まれる。そして、図４及び図５に示すように、外筒２の基端側に周方向に略等間隔で複数箇所設けられたビス挿通穴２ｃからビス７を挿入して、該ビス７を凸部４ａにねじ込むことで、外筒２にベース筒４が一体に固定される。ここで、外筒２及びベース筒４は、本発明の固定筒の一例に相当する。
【００１７】
移動筒３は、外筒２とベース筒４との間で光軸方向に移動可能に保持される。移動筒３の内周部には、図６に示すように、光軸方向に延びる直進溝３ｄが周方向に略等間隔で複数箇所形成されている。また、移動筒３の基端側外周部には、ビス穴３ｅが周方向に略等間隔で複数箇所形成されている。
【００１８】
一方、ベース筒４の外周部には、図７に示すように、光軸方向に延びる直進キー４ｄが移動筒３の直進溝３ｄに対応して周方向に略等間隔で複数箇所形成されている。移動筒３の直進溝３ｄがベース筒４の直進キー４ｄに係合することで、移動筒３がベース筒４に対して光軸方向に相対的に移動可能に保持される。
【００１９】
また、ベース筒４には、光軸方向に延びる貫通穴４ｅが移動筒３のビス穴３ｅに対応して周方向に略等間隔で複数箇所形成されている。ベース筒４の貫通穴４ｅには、図４及び図５に示すように、移動筒３のビス穴３ｅに外周側からねじ込んだビス６の先端が挿入される。これにより、移動筒３がベース筒４に対して被写体側に所定量光軸方向に移動した際に、ビス６の先端が貫通穴４ｅの被写体側の内端壁に当接して、移動筒３のベース筒４からの抜け落ちが防止される。
【００２０】
また、移動筒３には、図３及び図６に示すように、ダボ３ｃが周方向に略等間隔で複数箇所設けられ、ベース筒４には、図３及び図７に示すように、ダボ４ｂが周方向に略等間隔で複数箇所設けられている。ダボ３ｃ及びダボ４ｂには、移動筒３をカメラ本体１１側に付勢する引っ張りコイルばね５の両端がそれぞれ掛止されている。引っ張りコイルばね５は、本発明の付勢部材の一例に相当する。移動筒３の先端側内周部には、径方向内方に延びる鏡筒押圧部３ａが設けられている。
【００２１】
鏡筒押圧部３ａは、レンズ鏡筒１２が少なくとも沈胴位置からワイド位置に繰り出すまでの間は、引っ張りコイルばね５によりカメラ本体１１側に付勢された状態でベース筒４の先端部に当接するようになっている。
【００２２】
また、移動筒３の先端部は、図３に示すように、鏡筒押圧部３ａより被写体側に突出しており、該突出部分の内周部には、雌ねじ部３ｂが形成されている。移動筒３の雌ねじ部３ｂには、例えば、ＩＳＯ標準レンズフィルタ等の光学フィルタ１が螺合により着脱可能に取り付けられる。雌ねじ部３ｂは、本発明の取付部の一例に相当する。
【００２３】
そして、カメラ本体１１の電源スイッチ１１ｂをオン操作すると、図２に示すように、レンズ鏡筒１２が沈胴位置からワイド位置に繰り出す。このときのフィルタアダプタ１０は、図１に示す状態となる。ここで、レンズ鏡筒１２がワイド位置に繰り出した状態では、レンズ鏡筒１２の先端部は、移動筒３の鏡筒押圧部３ａに当接せず、鏡筒押圧部３ａから寸法Ｓだけカメラ本体１１側に配置される。これは、カメラ本体１１とレンズ鏡筒１２との組み付け精度誤差等により、撮影時にレンズ鏡筒１２の先端部がカメラ本体１１側に付勢された状態の鏡筒押圧部３ａに常時接触して、レンズ鏡筒１２に過度な負荷がかからないようにするためである。
【００２４】
次に、カメラ本体１１のズームレバー１１ｃをテレ側に操作すると、レンズ鏡筒１２がワイド位置からテレ位置側に移動して、レンズ鏡筒１２の先端部が移動筒３の鏡筒押圧部３ａに当接する。そして、この状態でレンズ鏡筒１２が引っ張りコイルばね５の付勢力に抗して鏡筒押圧部３ａを押圧しながらテレ位置側に移動することで、移動筒３が外筒２及びベース筒４に対して光軸方向を被写体側に移動する。
【００２５】
そして、所望の撮影画角でズームレバー１１ｃから手を離すと、レンズ鏡筒１２が停止するとともに、移動筒３も鏡筒押圧部３ａが引っ張りコイルばね５の付勢力によりレンズ鏡筒１２の先端部に押し当てられた状態で停止する。図８は、レンズ鏡筒１２がテレ位置に到達したときのフィルタアダプタ１０の状態を示す斜視図である。図８から、フィルタアダプタ１０の移動筒３が外筒２及びベース筒４に対して被写体側に移動しているのが判る。
【００２６】
また、図８の状態で、カメラ本体１１のズームレバー１１ｃをワイド側に操作した場合や電源スイッチ１１ｂをオフ操作した場合は、レンズ鏡筒１２の繰り込み動作に連動して移動筒３もカメラ本体１１側に移動する。このとき、移動筒３は、鏡筒押圧部３ａがレンズ鏡筒１２の先端部に押し当てられた状態でベース筒４の先端部に当接するまで引っ張りコイルばね５の付勢力によりカメラ本体１１側に移動し、図１に示す状態となる。
【００２７】
以上説明したように、本実施形態では、レンズ鏡筒１２に外挿された状態でカメラ本体１１に対して着脱可能に装着されるフィルタアダプタ１０の先端部に光学フィルタ１を取り付けている。これにより、レンズ鏡筒１２自体の大型化を招くことなく、最適なフィルタ径の光学フィルタ１を取り付けることができる。
【００２８】
また、レンズ鏡筒１２の沈胴時には、カメラ本体１１に装着したフィルタアダプタ１０の光軸方向の長さをテレ状態より短くすることができるので、携帯性に優れたデジタルカメラとすることができる。
【００２９】
更に、レンズ鏡筒１２のワイド位置からテレ位置までの殆どの領域で、レンズ鏡筒１２の先端部に鏡筒押圧部３ａが密着して移動筒３が移動するため、撮影に不要な光線がレンズ鏡筒１２内に進入して乱反射することで発生するゴーストを防止することができる。
【００３０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３１】
１  レンズフィルタ
２  外筒
３  移動筒
３ａ  鏡筒押圧部
４  ベース筒
５  引っ張りコイルばね
１０  フィルタアダプタ
１１  カメラ本体
１２  レンズ鏡筒
【図１】
0005541715.tif 000002
【図２】
0005541715.tif 000003
【図３】
0005541715.tif 000004
【図４】
0005541715.tif 000005
【図５】
0005541715.tif 000006
【図６】
0005541715.tif 000007
【図７】
0005541715.tif 000008
【図８】
0005541715.tif 000009